(57)【要約】      （修正有）【課題】通常の枕と頸椎枕が１つに組み合わせられ、使用が快適で首の保護効果に優れた頸椎枕を提供する。【解決手段】頸椎枕は、第１の収容キャビティ４及び第２の収容キャビティ５が設けられる枕カバー１と、第１の収容キャビティ内に組み立てられたメイン枕コア２と、第２の収容キャビティ内に組み立てられた円筒形頸椎枕コア３と、を備える。【選択図】図１
0003228788.tif 000002
【実用新案登録請求の範囲】
【請求項１】
第１の収容キャビティ（４）及び第２の収容キャビティ（５）が設けられる枕カバー（１）と、
前記第１の収容キャビティ（４）内に組み立てられた主枕コア（２）と、
前記第２の収容キャビティ（５）内に組み立てられた円筒形頸椎枕コア（３）と、を備えることを特徴とする新型頸椎枕。
【請求項２】
前記枕カバー（１）は、伸縮性のある生地で製造されることを特徴とする、
請求項１に記載の新型頸椎枕。
【請求項３】
前記主枕コア（２）の真ん中に内へ凹んだ後頭部支持牽引領域（６）が設けられ、
前記枕カバー（１）上の前記後頭部支持牽引領域（６）と対応する箇所には前記枕カバー（１）と組み立てられた枕布（１０）が設けられ、
前記枕布（１０）は前記後頭部支持牽引領域（６）の表面に貼合されている、
ことを特徴とする請求項２に記載の新型頸椎枕。
【請求項４】
前記後頭部支持牽引領域（６）内には、ダニの成長を防ぐためのケツメイシが設けられていることを特徴とする請求項３に記載の新型頸椎枕。
【請求項５】
前記頸椎枕コア（３）内にはいくつかの健康磁石（７）が設けられ、
前記頸椎枕コア（３）内には、ラベンダーなどのハーブ睡眠補助フィラーが更に充填されていることを特徴とする、
請求項１に記載の新型頸椎枕。
【請求項６】
前記枕カバー（１）上には、第１の収容キャビティ（４）を開くための第１のジッパー（８）と、第２の収容キャビティ（５）を開くための第２のジッパー（９）とが設けられていることを特徴とする請求項１に記載の新型頸椎枕。
【考案の詳細な説明】
【技術分野】
【０００１】
本考案は枕技術分野に関し、具体的には新型頸椎枕に関する。
【背景技術】
【０００２】
枕は、睡眠ツールの一種である。一般的には、枕は、人々が睡眠を快適にするために使用するフィラーであると考えられる。現代の医学研究によれば、人間の脊柱は正面から見ると直線であるが、側面から見ると４本の生理学的に湾曲した曲線を有する。首の正常な生理的湾曲を保護し、睡眠中に正常な生理的活動を維持するために、睡眠時には枕を使用する必要がある。
【０００３】
しかしながら、既存の通常の枕は首を保護するのに効果的ではなく、頸椎枕は十分に快適ではなく、早急に改善する必要がある。
【考案の概要】
【考案が解決しようとする課題】
【０００４】
本考案の目的は、従来の技術欠陥と不足に対して、通常の枕と頸椎枕が１つに組み合わせられ、使用が快適で、首の保護効果に優れたという利点がある新型頸椎枕を提供することである。
【課題を解決するための手段】
【０００５】
上記目的を達成するために、本考案に採用された技術案は、第１の収容キャビティ及び第２の収容キャビティが設けられる枕カバーと、第１の収容キャビティ内に組み立てられたメイン枕コアと、前記第２の収容キャビティ内に組み立てられた円筒形頸椎枕コアとを備える新型頸椎枕である。
【０００６】
本考案では、さらに、前記枕カバーは伸縮性のある生地で製造されるように設置される。
【０００７】
本考案では、さらに、前記主枕コアの真ん中に内へ凹んだ後頭部支持牽引領域が設けられ、前記枕カバー上の前記後頭部支持牽引領域と対応する箇所には前記枕カバーと組み立てられた枕布が設けられ、前記枕布は前記後頭部支持牽引領域の表面に貼合されているように設置される。
【０００８】
本考案では、さらに、前記後頭部支持牽引領域内には、ダニの成長を防ぐためのケツメイシが設けられているように設置される。
【０００９】
本考案では、さらに、前記頸椎枕コア内にはいくつかの健康磁石が設けられ、前記頸椎枕コア内には、ラベンダーなどのハーブ睡眠補助フィラーが更に充填されているように設置される。
【００１０】
本考案では、さらに、前記枕カバー上には、第１の収容キャビティを開くための第１のジッパーと、第２の収容キャビティを開くための第２のジッパーとが設けられているように設置される。
【考案の効果】
【００１１】
上記技術案によれば、本考案は下記の有益効果を有する。
【００１２】
本考案では、主枕コアと、頸椎枕コアと、収容キャビティが設けられている枕カバーとを設けることで、通常の枕と頸椎枕が１つに組み合わせられ、使用時、頸椎は、頸椎枕コアが充填されている側の枕カバー上に置かれ、頭部は主枕コアが充填されている枕カバー上に置かれ、快適であるとともに、首を保護する効果に優れる。
【図面の簡単な説明】
【００１３】
本考案の実施例又は従来技術における技術案をより明らかに説明するために、以下、実施例又は従来技術の説明に必要な図面を簡単に説明し、明らかなように、以下に説明する図面は本考案の一部の実施例に過ぎず、当業者にとっては、創造的な労働がない前提で、これらの図面に基づいて他の図面を得ることができる。
【図１】本考案の構造模式図である。
【考案を実施するための形態】
【００１４】
以下、図面を参照しながら本考案をさらに詳細に説明する。
【００１５】
本実施例は単に本考案を説明するためのものであり、本考案を限定するものではなく、当業者は本明細書を読んだ上で、必要に応じて本実施例に対して創造性のない変更を行うことができ、本考案の実用新案登録請求の範囲に属する限り、実用新案法の保護対象となる。
【００１６】
本実施例は新型頸椎枕に関し、図１に示すように、第１の収容キャビティ４及び第２の収容キャビティ５が設けられる枕カバー１と、第１の収容キャビティ４内に組み立てられる主枕コア２と、第２の収容キャビティ５内に組み立てられる円筒形頸椎枕コア３とを備える。通常の枕と頸椎枕が１つに組み合わせられ、使用時、頸椎は、頸椎枕コア３が充填されている側の枕カバー１上に置かれ、頭部は主枕コア２が充填されている枕カバー１上に置かれ、快適であるとともに、首を保護する効果に優れる。
【００１７】
さらに、枕カバー１は伸縮性のある生地で製造される。
【００１８】
本実施例では、主枕コア２の真ん中に内へ凹んだ後頭部支持牽引領域６が設けられ、枕カバー１上の後頭部支持牽引領域６と対応する箇所には枕カバー１と組み立てられた枕布１０が設けられ、枕布１０は後頭部支持牽引領域６の表面に貼合されている。内へ凹んだ後頭部支持牽引領域６が設けられているため、枕を快適にすることができ、枕布１０は後頭部支持牽引領域６に完全に貼合して、美しさあふれる新型頸椎枕の外観形状を作ることができる。
【００１９】
後頭部支持牽引領域６内には、ダニの成長を防ぐためのケツメイシが設けられ、ケツメイシはダニの成長を効果的に抑えることができる。
【００２０】
具体的には、頸椎枕コア３内にはいくつかの健康磁石７が設けられ、頸椎枕コア３内には、ラベンダーなどのハーブ睡眠補助フィラーが更に充填されている。健康磁石は、頸椎を効果的にマッサージすることで、頸椎の圧力を効果的に緩和し、体内の血液循環を促進することができ、睡眠の質を促進することもでき、ラベンダーなどのハーブ睡眠補助フィラーは、軽いハーブの味を持っているため、睡眠の深さを増やすことができる。
【００２１】
枕カバー１上には、第１の収容キャビティ４を開くための第１のジッパー８と、第２の収容キャビティ５を開くための第２のジッパー９とが設けられている。主枕コア２及び頸椎枕コア３の交換と洗濯が簡単である。
【００２２】
本考案の作動原理は次の通りである。主枕コア２及び頸椎枕コア３は枕カバー１の第１の収容キャビティ４及び第２の収容キャビティ５中にそれぞれ収容され、使用時、頸椎は、頸椎枕コア３が充填されている側の枕カバー１上に置かれ、頭部は主枕コア２が充填されている枕カバー１上に置かれ、快適であるとともに、首を保護する効果に優れる。
【００２３】
以上、本考案の技術案を説明するためのものであり、限定するものではなく、当業者が本考案の技術案に対して行う他の変更や同等置換は、本考案の技術案の精神及び範囲を逸脱しない限り、本考案の実用新案登録請求の範囲に属する。
【符号の説明】
【００２４】
１、枕カバー；２、主枕コア；３、頸椎枕コア；４、第１の収容キャビティ；５、第２の収容キャビティ；６、後頭部支持牽引領域；７、健康磁石；８、第１のジッパー；９、第２のジッパー；１０、枕布
【図１】
0003228788.tif 000003